(57)【要約】【課題】耕耘土の移動方向を内盛側と外盛側の間で円滑に切り替えることが可能な耕耘爪を提供する。【解決手段】耕耘爪２０Ｌ・２０Ｒは、管理機１に取り付けられた状態で、正回転時の打込み側部分２２Ｌ・２２Ｒ、及び逆回転時の打込み側部分２４Ｌ・２４Ｒの内の、一方の打込み側部分２２Ｌ・２２Ｒの内側面には、取付基部２１Ｌ・２１Ｒ側から先端に向かうに伴って管理機１の機体１０の幅方向Ｗ内側に向かうように湾曲する内側湾曲面２３Ｌ・２３Ｒが形成され、他方の打込み側部分２４Ｌ・２４Ｒの外側面には、取付基部２１Ｌ・２１Ｒ側から先端に向かうに伴って機体１０の幅方向Ｗ外側に向かうように湾曲する外側湾曲面２５Ｌ・２５Ｒが形成される。【選択図】図２
2015002704.tif 000002
【特許請求の範囲】
【請求項１】
耕耘作業機に取付可能な耕耘爪であって、
前記耕耘作業機に取り付けられた状態で、正回転時の打込み側部分、及び逆回転時の打込み側部分の内の、一方の打込み側部分の内側面には、取付基部側から先端に向かうに伴って前記耕耘作業機の機体の幅方向内側に向かうように湾曲する内側湾曲面が形成され、他方の打込み側部分の外側面には、取付基部側から先端に向かうに伴って前記機体の幅方向外側に向かうように湾曲する外側湾曲面が形成されることを特徴とする、
耕耘爪。
【請求項２】
前記内側湾曲面は、前記一方の打込み側部分から打ち込まれるときの回転方向下流側に向かうに従い、前記機体の幅方向内側に傾く形状を有し、
前記外側湾曲面は、前記他方の打込み側部分から打ち込まれるときの回転方向下流側に向かうに従い、前記機体の幅方向外側に傾く形状を有することを特徴とする、
請求項１に記載の耕耘爪。
【発明の詳細な説明】
【技術分野】
【０００１】
本発明は、耕耘爪に関する。
【背景技術】
【０００２】
従来、耕耘爪を用いて内盛耕耘及び外盛耕耘を行う管理機の技術は公知である（例えば、特許文献１）。
特許文献１に記載の管理機は、耕耘爪による耕耘土の移動方向を内盛側と外盛側の間で切り換えて、内盛耕耘・外盛耕耘の切り換えを行うときには、爪軸を付け替えて、耕耘爪の先端の向きを変える必要があった。そして、爪軸を付け替える際に、爪軸を固定するためのピンの抜き差しを行わなければならなかった。
【０００３】
しかし、爪軸の付け替えを行う際には、前記ピンの向きを間違えないように注意しながら作業を行わなければならなかったり、泥のついた耕耘爪を扱わなければならなかったりして、作業が面倒であった。また、ピンが変形していたときには、爪軸の付け替えが困難になるおそれがあった。これにより、内盛耕耘・外盛耕耘の切り換えを行う際に手間がかかることがあった。
【先行技術文献】
【特許文献】
【０００４】
【特許文献１】特開２００７−２５２２２２号公報
【発明の概要】
【発明が解決しようとする課題】
【０００５】
本発明は、耕耘土の移動方向を内盛側と外盛側の間で円滑に切り換えることが可能な耕耘爪を提供する。
【課題を解決するための手段】
【０００６】
請求項１に記載の耕耘爪は、
耕耘作業機に取付可能な耕耘爪であって、
前記耕耘作業機に取り付けられた状態で、正回転時の打込み側部分、及び逆回転時の打込み側部分の内の、一方の打込み側部分の内側面には、取付基部側から先端に向かうに伴って前記耕耘作業機の機体の幅方向内側に向かうように湾曲する内側湾曲面が形成され、他方の打込み側部分の外側面には、取付基部側から先端に向かうに伴って前記機体の幅方向外側に向かうように湾曲する外側湾曲面が形成される。
【０００７】
請求項２に記載の耕耘爪においては、
前記内側湾曲面は、前記一方の打込み側部分から打ち込まれるときの回転方向下流側に向かうに従い、前記機体の幅方向内側に傾く形状を有し、
前記外側湾曲面は、前記他方の打込み側部分から打ち込まれるときの回転方向下流側に向かうに従い、前記機体の幅方向外側に傾く形状を有する。
【発明の効果】
【０００８】
本発明は、耕耘爪の回転方向を変更することで、耕耘爪による耕耘土の移動方向を内盛側と外盛側の間で切り換えることができ、耕耘土の移動方向を内盛側と外盛側の間で円滑に切り替えることが可能となるという効果を奏する。
【図面の簡単な説明】
【０００９】
【図１】管理機の側面図。
【図２】管理機に取り付けられた状態の耕耘爪を後方から見た図。
【図３】（ａ）左側の耕耘爪の斜視図、（ｂ）図３（ａ）の耕耘爪の裏面の斜視図。
【図４】図３（ａ）のＸ−Ｘ断面図。
【図５】（ａ）右側の耕耘爪の斜視図、（ｂ）図５（ａ）の耕耘爪の裏面の斜視図。
【図６】図５（ａ）のＹ−Ｙ断面図。
【図７】（ａ）耕耘爪を正回転させたときの耕耘土の移動を示す概念図、（ｂ）耕耘爪を逆回転させたときの耕耘土の移動を示す概念図。
【図８】右側の耕耘爪の斜視図。
【図９】（ａ）左側の耕耘爪の変形例の斜視図、（ｂ）図９（ａ）の耕耘爪の裏面の斜視図。
【図１０】（ａ）右側の耕耘爪の変形例の斜視図、（ｂ）図１０（ａ）の耕耘爪の裏面の斜視図。
【図１１】（ａ）図９（ａ）及び図９（ｂ）に示す耕耘爪の取付基部の変形例の斜視図、並びに取付フランジの斜視図、（ｂ）図１０（ａ）及び図１０（ｂ）に示す耕耘爪の取付基部の変形例の斜視図、並びに取付フランジの斜視図、（ｃ）図１１（ａ）及び図１１（ｂ）に示す耕耘爪が爪軸に取り付けられた状態を示す図。
【発明を実施するための形態】
【００１０】
以下では、耕耘爪２０Ｌ・２０Ｒが取り付けられる耕耘作業機（管理機）１について説明する。
【００１１】
図１に示すように、管理機１は、ロータリ作業型の管理機であり、耕耘作業や畝立て作業等の管理作業を行うことができる作業機である。管理機１は、ミッションケース１１、エンジン１２、燃料タンク１３、及び走行輪１４等を備える。
なお、本明細書において機体１０とは、ミッションケース１１、エンジン１２、及び燃料タンク１３等を合わせたもの、すなわち管理機１の本体を指す。
【００１２】
機体１０の前部にはエンジン１２が配置される。エンジン１２の上方には燃料タンク１３が備えられる。エンジン１２の後方にはミッションケース１１が配置される。ミッションケース１１は、トランスミッションを内装するケースである。
【００１３】
ミッションケース１１の前下部には、左右の走行輪１４が回転可能に支持される。
【００１４】
ミッションケース１１の後下部には、爪軸１６が回転可能に支持される。爪軸１６は、ミッションケース１１の左右両側方に突出するように設けられ、その外周面上に複数の耕耘爪２０Ｌ・２０Ｒが固定される。爪軸１６は、正逆回転可能に構成されている。そして、耕耘爪２０Ｌ・２０Ｒは、爪軸１６と共に一体回転するように構成されている。耕耘爪２０Ｌ・２０Ｒの詳細な説明は後述する。耕耘爪２０Ｌ・２０Ｒの後方には、補助輪１７が設けられている。
【００１５】
エンジン１２からの動力は、ミッションケース１１に伝達されて、ミッションケース１１内で、前記トランスミッションにより変速されると共に走行用動力と耕耘爪用動力に分離された後、走行輪１４及び爪軸１６にそれぞれ出力される。これにより、走行輪１４及び耕耘爪２０Ｌ・２０Ｒがそれぞれ回転駆動する。
【００１６】
機体１０の後部には、操作部３０が設けられている。操作部３０には、ハンドル３１、変速レバー３２、爪軸１６（耕耘爪２０Ｌ・２０Ｒ）の回転方向を正逆切り替えるための切替操作具（不図示）等、管理機１を人為的に操作するための各種操作具が設けられている。
【００１７】
以下では、耕耘爪２０Ｌ・２０Ｒについて説明する。
【００１８】
図２に示すように、耕耘爪２０Ｌ・２０Ｒは、機体１０の幅方向（左右幅方向）Ｗに複数設けられている。
耕耘爪２０Ｌ・２０Ｒは、湾曲した板形状を有している。耕耘爪２０Ｌ・２０Ｒは、互いに左右対称な形状に形成されている。耕耘爪２０Ｌは、ミッションケース１１の左側に設けられており、耕耘爪２０Ｒは、ミッションケース１１の右側に設けられている。耕耘爪２０Ｌ・２０Ｒは、本実施形態では六つづつ設けられている。
【００１９】
図３（ａ）〜図６に示すように、耕耘爪２０Ｌ・２０Ｒの取付基部２１Ｌ・２１Ｒ、及び爪軸１６の外周側面に形成される取付フランジ１８Ｌ・１８Ｒにはボルト孔がそれぞれ形成されている。耕耘爪２０Ｌ・２０Ｒの取付基部２１Ｌ・２１Ｒは、爪軸１６の取付フランジ１８Ｌ・１８Ｒにボルト、ナット等でそれぞれ取り付けられており、爪軸１６と一体回転する。
【００２０】
耕耘爪２０Ｌ・２０Ｒの正回転時の打込み側部分２２Ｌ・２２Ｒ、及び逆回転時の打込み側部分２４Ｌ・２４Ｒの内の、一方の打込み側部分２２Ｌ・２２Ｒの内側面には、内側湾曲面２３Ｌ・２３Ｒがそれぞれ形成されており、他方の打込み側部分２４Ｌ・２４Ｒの外側面には、外側湾曲面２５Ｌ・２５Ｒがそれぞれ形成されている。
【００２１】
図３（ａ）、図４、図５（ａ）、及び図６に示すように、内側湾曲面２３Ｌ・２３Ｒは、一方の打込み側部分２２Ｌ・２２Ｒの内側面（機体１０の幅方向Ｗ内側の面）に形成されている。内側湾曲面２３Ｌ・２３Ｒは、取付基部２１Ｌ・２１Ｒ側から先端に向かうに伴って機体１０の幅方向Ｗ内側、すなわち機体１０の左右中央側（ミッションケース１１側）に向かうように湾曲する形状を有している。
また、内側湾曲面２３Ｌ・２３Ｒは、正回転方向下流側に向かうに従い、すなわち、一方の打込み側部分２２Ｌ・２２Ｒから打ち込まれるときの回転方向下流側に向かうに従い、機体１０の幅方向Ｗ内側に傾く形状を有している。
【００２２】
図３（ｂ）、図４、図５（ｂ）、及び図６に示すように、外側湾曲面２５Ｌ・２５Ｒは、他方の打込み側部分２４Ｌ・２４Ｒの外側面（機体１０の幅方向Ｗ外側の面）に形成されている。外側湾曲面２５Ｌ・２５Ｒは、取付基部２１Ｌ・２１Ｒ側から先端に向かうに伴って機体１０の幅方向Ｗ外側、すなわち機体１０の左右外側に向かうように湾曲する形状を有している。
また、外側湾曲面２５Ｌ・２５Ｒは、逆回転方向下流側に向かうに従い、すなわち、他方の打込み側部分２４Ｌ・２４Ｒから打ち込まれるときの回転方向下流側に向かうに従い、機体１０の幅方向Ｗ外側に傾く形状を有している。
【００２３】
なお、内側湾曲面２３Ｌ・２３Ｒと、外側湾曲面２５Ｌ・２５Ｒは互いに対象（湾曲角度が同一）である必要はなく、作業状況等に応じて湾曲角度に差を有していてもよい。
【００２４】
図３（ａ）〜図６に示すように、耕耘爪２０Ｌ・２０Ｒの正回転時の打込み側部分２２Ｌ・２２Ｒと、逆回転時の打込み側部分２４Ｌ・２４Ｒと、の間には略平板状の中間部分２６Ｌ・２６Ｒが一体的に設けられている。耕耘爪２０Ｌ・２０Ｒは、中間部分２６Ｌ・２６Ｒを設けることで、耕耘爪の体積を確保して、強度を確保している。
【００２５】
図３（ａ）、図５（ａ）、及び図７（ａ）に示すように、耕耘爪２０Ｌ・２０Ｒの正回転時には、耕耘爪２０Ｌ・２０Ｒの打込み側部分２２Ｌ・２２Ｒから土壌に打ち込まれる。このとき、打込み側部分２２Ｌ・２２Ｒの内側湾曲面２３Ｌ・２３Ｒは、耕耘土５０をすくって、そして、すくった耕耘土５０を機体１０の幅方向Ｗ内側（内盛側）に向かって移動させる（飛ばす）こととなる。
従って、耕耘爪２０Ｌ・２０Ｒを正回転させることによって、耕耘爪２０Ｌ・２０Ｒの内側湾曲面２３Ｌ・２３Ｒにより耕耘土５０を機体１０の幅方向Ｗ内側（内盛側）に向かって移動させて、内盛耕耘を行い、内盛りの畝を成形することが可能となる。
【００２６】
図３（ｂ）、図５（ｂ）、及び図７（ｂ）に示すように、耕耘爪２０Ｌ・２０Ｒの逆回転時には、耕耘爪２０Ｌ・２０Ｒの打込み側部分２４Ｌ・２４Ｒから土壌に打ち込まれる。このとき、打込み側部分２４Ｌ・２４Ｒの外側湾曲面２５Ｌ・２５Ｒは、耕耘土５０をすくって、そして、すくった耕耘土５０を機体１０の幅方向Ｗ外側（外盛側）に向かって移動させる（飛ばす）こととなる。
従って、耕耘爪２０Ｌ・２０Ｒを逆回転させることによって、耕耘爪２０Ｌ・２０Ｒの外側湾曲面２５Ｌ・２５Ｒにより耕耘土５０を機体１０の幅方向Ｗ外側（外盛側）に向かって移動させて、外盛耕耘を行い、外盛りの畝を成形することが可能となる。
【００２７】
以上のように構成することで、耕耘爪２０Ｌ・２０Ｒの回転方向を変更することで、耕耘爪２０Ｌ・２０Ｒによる耕耘土の移動方向を、機体１０の幅方向Ｗ内側（内盛側）と、機体１０の幅方向Ｗ外側（外盛側）の間で切り換えることが可能となる（図８参照）。従って、耕耘土の移動方向を内盛側と外盛側の間で円滑に切り替えることが可能となる。
【００２８】
なお、耕耘爪２０Ｌ・２０Ｒを左右逆に配置してもよい。すなわち、ミッションケース１１の左側に耕耘爪２０Ｒを配置して、ミッションケース１１の右側に耕耘爪２０Ｌを配置してもよい。
この場合、耕耘爪２０Ｌ・２０Ｒを正回転させることによって、内側湾曲面２３Ｌ・２３Ｒにより耕耘土を外盛側に向かって移動させることとなる。また、耕耘爪２０Ｌ・２０Ｒを逆回転させることによって、外側湾曲面２５Ｌ・２５Ｒにより耕耘土を内盛側に向かって移動させることとなる。
【００２９】
図９（ａ）〜図１０（ｂ）は、耕耘爪２０Ｌ・２０Ｒの変形例である耕耘爪４０Ｌ・４０Ｒを示す斜視図である。
図９（ａ）〜図１０（ｂ）に示すように、耕耘爪４０Ｌ・４０Ｒは、管理機（耕耘作業機）１に取り付けられた状態で、正回転時の打込み側部分、及び逆回転時の打込み側部分の内の、一方の打込み側部分の内側面には、取付基部４１Ｌ・４１Ｒ側から先端に向かうに伴って管理機１の機体１０の幅方向Ｗ内側に向かうように湾曲する内側湾曲面４３Ｌ・４３Ｒが形成され、他方の打込み側部分の外側面には、取付基部４１Ｌ・４１Ｒ側から先端に向かうに伴って機体１０の幅方向Ｗ外側に向かうように湾曲する外側湾曲面４５Ｌ・４５Ｒが形成される。耕耘爪４０Ｌ・４０Ｒは、耕耘爪２０Ｌ・２０Ｒに比べて外周面の起伏が滑らかに形成されている。
耕耘爪２０Ｌ・２０Ｒに替えて耕耘爪４０Ｌ・４０Ｒを採用した場合でも、耕耘爪２０Ｌ・２０Ｒを採用したときと同様の効果を奏する。
【００３０】
なお、図１１（ａ）〜図１１（ｃ）に示すように、耕耘爪４０Ｌ・４０Ｒに関しては、取付基部４１Ｌａ・４１Ｒａを、耕耘爪４０Ｌ・４０Ｒの外周面の延びる方向に略沿った平板形状に形成して、爪軸１６の取付フランジ１８Ｌａ・１８Ｒａを、爪軸１６の軸線αに対して傾けて配置してもよい。
【００３１】
なお、耕耘爪２０Ｌ・２０Ｒ・４０Ｌ・４０Ｒが取り付けられる耕耘作業機は管理機１に限定されず、例えば、トラクタに連結されて牽引されるロータリ耕耘装置であってもよい。
【符号の説明】
【００３２】
１              管理機
２０Ｌ・２０Ｒ  耕耘爪
２１Ｌ・２１Ｒ  取付基部
２２Ｌ・２２Ｒ・２４Ｌ・２４Ｒ  打込み側部分
２３Ｌ・２３Ｒ  内側湾曲面
２５Ｌ・２５Ｒ  外側湾曲面
【図１】
2015002704.tif 000003
【図２】
2015002704.tif 000004
【図３】
2015002704.tif 000005
【図４】
2015002704.tif 000006
【図５】
2015002704.tif 000007
【図６】
2015002704.tif 000008
【図７】
2015002704.tif 000009
【図８】
2015002704.tif 000010
【図９】
2015002704.tif 000011
【図１０】
2015002704.tif 000012
【図１１】
2015002704.tif 000013